(57)【要約】【課題】  前後の椅子同士を可能な限り近接させてネスティングしうるようにする。【解決手段】  肘掛け１３を、正面視及び側面視でほぼ水平をなす使用位置と、外向きに回動させることにより正面視において、ほぼ垂直をなすとともに、平面視において後端部が前端部よりも外側方に位置する不使用位置との間を回動しうるように、肘掛け支持杆７の上端に設けた水平の枢軸に取付ける。【選択図】  図１
2005073787.tif 000002
【特許請求の範囲】
【請求項１】
左右の脚体より起立する肘掛け支持杆の上端に前後方向を向く肘掛けを設けるとともに、前記左右の脚体により、座体を、ほぼ水平の使用位置と、ほぼ垂直をなす不使用位置とに回動可能に支持し、かつ座体を不使用位置とすることにより、複数の椅子同士を前後方向に重ねてネスティングしうるようにした肘掛け付き椅子において、前記肘掛けを、正面視及び側面視でほぼ水平をなす使用位置と、外向きに回動させることにより正面視においてほぼ垂直をなすとともに、平面視において後端部が前端部よりも外側方に位置する不使用位置との間を回動しうるように、前記肘掛け支持杆の上端に設けた水平の枢軸に取付けたことを特徴とする肘掛け付き椅子。
【請求項２】
肘掛けの枢軸の軸線を、平面視において後部側が前部側より外側方に位置するように斜め前後方向に傾斜させてなる請求項１記載の肘掛け付き椅子。
【請求項３】
肘掛けの枢軸を、肘掛け支持杆よりも外方に位置させてなる請求項２記載の肘掛け付き椅子。
【請求項４】
肘掛け支持杆を、斜め前上方に傾斜させるとともに、その上端に水平をなす枢支杆を設け、この枢支杆に挿通した枢軸により、肘掛けの前端部を回動可能に支持した請求項１〜３のいずれかに記載の肘掛け付き椅子。
【請求項５】
肘掛け支持杆をパイプ製とし、その上端部に、枢支杆を有する肘掛け取付部材を圧嵌することにより、前記枢支杆を肘掛け支持杆の上端に設けた請求項４記載の肘掛け付き椅子。
【発明の詳細な説明】
【技術分野】
【０００１】
本発明は、同一形状の椅子同士を、前後方向に重ねてネスティングしうるようにした肘掛け付き椅子に関する。
【背景技術】
【０００２】
この種のネスティング可能な肘掛け付き椅子としては、左右の脚における後足の上端部に継手を設け、この継手に取付けた背もたれ板の両側端の筒部に、ジョイントを介して、ほぼ水平をなす肘当ての後端を前向きとして固定したものがある（例えば特許文献１参照）。
【０００３】
また、左右の後脚の上端から上方に延長する延長部の上端に、僅かに上方に傾斜して前方に向かう肘掛けを取付けたものもある（例えば特許文献２参照）。
【特許文献１】特開２００３−１５９１５０号公報（図１〜図３等）
【特許文献２】特開２００１−１２８７７５号公報（図３〜図６等）
【発明の開示】
【発明が解決しようとする課題】
【０００４】
上記特許文献１に記載されている従来の椅子のように、ほぼ水平をなす肘当ての後端が前向きとして、背もたれ板の側端部に固定されていると、椅子同士を前後方向にネスティングした際に、後方の椅子の肘当ての前端が、前方の椅子の肘当ての後端と当接してしまい、椅子同士を近接させてネスティングすることができないため、ネスティングして保管する際に大きなスペースを要する。
【０００５】
一方、特許文献２に記載されている従来の椅子の肘掛けは、僅かに上方に傾斜して固定されており、ネスティング時において前後の椅子の肘掛けの前端部と後端部同士が、互いにずれて重なり合うため、上記特許文献１に記載の椅子よりは、前後の椅子を近接させてネスティングしうる。
【０００６】
しかし、上記のように肘掛けを上方に傾斜させると、着座者の肘の下面を広範囲に支持し得なくなったり、不自然な支持形態となったりすることがある。
【０００７】
本発明は、上記問題点に鑑みてなされたもので、前後の椅子同士を可能な限り近接してネスティングしうるとともに、肘を自然な状態で快適に支持しうるようにした、肘掛け付き椅子を提供することを目的としている。
【課題を解決するための手段】
【０００８】
本発明によると、上記課題は、次のようにして解決される。
（１）左右の脚体より起立する肘掛け支持杆の上端に前後方向を向く肘掛けを設けるとともに、前記左右の脚体により、座体を、ほぼ水平の使用位置と、ほぼ垂直をなす不使用位置とに回動可能に支持し、かつ座体を不使用位置とすることにより、複数の椅子同士を前後方向に重ねてネスティングしうるようにした肘掛け付き椅子において、前記肘掛けを、正面視及び側面視でほぼ水平をなす使用位置と、外向きに回動させることにより正面視において、ほぼ垂直をなすとともに、平面視において後端部が前端部よりも外側方に位置する不使用位置との間を回動しうるように、前記肘掛け支持杆の上端に設けた水平の枢軸に取付ける。
【０００９】
（２）上記(１)項において、肘掛けの枢軸の軸線を、平面視において後部側が前部側より外側方に位置するように斜め前後方向に傾斜させる。
【００１０】
（３）上記(２)項において、肘掛けの枢軸を、肘掛け支持杆よりも外方に位置させる。
【００１１】
（４）上記(１)〜(３)項のいずれかにおいて、肘掛け支持杆を、斜め前上方に傾斜させるとともに、その上端に水平をなす枢支杆を設け、この枢支杆に挿通した枢軸により、肘掛けの前端部を回動可能に支持する。
【００１２】
（５）上記(４)項において、肘掛け支持杆をパイプ製とし、その上端部に、枢支杆を有する肘掛け取付部材を圧嵌することにより、前記枢支杆を肘掛け支持杆の上端に設ける。
【発明の効果】
【００１３】
請求項１記載の発明によれば、左右の肘掛けを不使用位置に回動すると、その対向面間の寸法が使用位置よりも大となるとともに、後端部が外開き状に拡開し、対向面間の寸法が後部側程大となるため、複数の椅子同士をネスティングする際において、前後の椅子の肘掛けの対向端同士が当接することはなく、後方の肘掛けの前端部が、前方の椅子の後端部の内方に挿入されるようになるため、前後の椅子同士を近接させてネスティングすることができる。
その結果、少ないスペースでより多くの椅子をネスティングして保管しうるようになる。
また、肘掛けは、使用位置においてほぼ水平をなしているため、肘を自然な状態で快適に支持することができる。
【００１４】
請求項２記載の発明によれば、肘掛けを単に外向きに回動させるだけで、その後端部を簡単に外側方に位置させることができる。
【００１５】
請求項３記載の発明によれば、肘掛けを不使用位置に回動させた際、肘掛けの内端が肘掛け支持杆の内側面よりも外方に位置し、左右の肘掛け間の離間寸法が大となるため、ネスティング時において、後方の椅子の肘掛けを、前方の椅子の肘掛け間により深く挿入することができ、前後の椅子同士をより近接させてネスティングすることが可能となる。
【００１６】
請求項４記載の発明によれば、肘掛けを、前端部を中心として不使用位置に回動させた際に、その後端部程大きく外側方に偏倚するため、枢軸の軸線の傾斜角度を最小限とすることができる。
【００１７】
請求項５記載の発明によれば、肘掛け支持杆の上端に、肘掛けの枢軸を枢支する枢支杆を、特別な固定手段を用いることなく簡単に設けることができる。
【発明を実施するための最良の形態】
【００１８】
以下、本発明の実施例を、図面に基づいて説明する。
図１は、本発明の椅子(１)の正面図、図２は、同じく平面図、図３は、同じく側面図で、左右１対の脚体(２)(２)と、座体(３)と、背凭れ(４)と、左右１対の肘掛け装置(５)(５)とを備えている。
【００１９】
左右の脚体(２)は、後傾（以下、図３の左方を前として説明する）状の前脚(2a)と前傾状の後脚(2b)とからなり、それらの上端には、それぞれ同じ傾斜の背凭れ支持杆(６)と肘掛け支持杆(７)とが一体的に連設されている。
【００２０】
前脚(2a)と背凭れ支持杆(６)、及び後脚(2b)と肘掛け支持杆(７)は、上下方向の中間部において、後脚(2b)及び肘掛け支持杆(７)が外方に位置するように、連結部材(８)により側面視Ｘ字状に結合されている。
【００２１】
前脚(2a)、背凭れ支持杆(６)、後脚(2b)及び肘掛け支持杆(７)は、概ね楕円形の断面形状をなす金属パイプにより一体的に形成されている。
【００２２】
上記背凭れ(４)は、左右の背凭れ支持杆(６)の対向面間に取付けられている。
左右の連結部材(８)の対向面同士は、左右方向を向く横杆(９)により連結されている。
【００２３】
上記座体(３)の後方寄りの下面の左右両側部は、横杆(９)のやや後方において、連結部材(８)の内側面に、左右方向を向く枢軸（図示略）により枢着され、枢軸の直前の下面が横杆(９)の上面に当接してほぼ水平に保持される使用位置と、上向きに回動して、座面が背凭れ(４)の前面に当接する不使用位置とに回動させうるようになっている。
【００２４】
上記左右の肘掛け装置(５)は、肘掛け支持杆(７)の上端に、次のようにして取付けられている。
【００２５】
図４に示すように、肘掛け装置(５)は（左右対称で同一構造であるため、左方のみ図示する）、肘当て取付部材(10)と、弾性保持部材(11)と、枢軸(12)と、肘掛け(13)とからなっている。
【００２６】
肘掛け取付部材(10)は、肘掛け支持杆(７)の上端部に圧嵌される斜め上方を向く基杆(14)と、その上端に後向き水平として連設された枢支杆(15)とからなり、全体がアルミニウム合金等により一体成形されている。
【００２７】
上記枢支杆(15)は、図５の平面図及び図６の後面図にも示すように、その軸線(Ｌ1)が、基杆(14)及び肘掛け支持杆(７)の前後方向の中心線(Ｌ2)の外側方において、それに対し、所要の角度(α)（例えば８°）だけ傾斜し、後部側が前部側よりも外側方となるように斜め前後方向に傾斜している。
【００２８】
すなわち、平面視において左右の枢支杆(15)同士がハの字状をなすように、後部側が外開きとなっている。
【００２９】
枢支杆(15)の中心には、枢軸(12)が相対回転可能として挿通される軸孔(16)が貫設され、また外周面の上面と外側面とには、平削面(17)(17)が、長手方向に全長に亘って形成されている。
【００３０】
上記弾性保持部材(11)は、図７及び図８の断面図にも示すように、前後寸法が枢支杆(15)のそれとほぼ等しく、左右の幅が枢支杆(15)の平削面(17)の幅より若干大とされ、かつ長手方向に沿って複数の切欠孔(18)が穿設された平板状の基板(19)における各切欠孔(18)内には、その左右の一方の内端から、やや上向きに傾斜して、切欠孔(18)の他方の内端の近傍まで延びる下向きに弾性変形可能な弾性片(20)が、交互に左右反対方向を向くように基板(19)と一体をなして設けられている。
【００３１】
弾性保持部材(11)全体は、ポリアセタールのような弾性変形可能な合成樹脂又はばね鋼などにより一体成形されている。ばね鋼を用いる際には、各弾性片(20)は、プレス又は切り起こし加工などにより一体的に形成することができる。
【００３２】
上記肘掛け(13)は、合成樹脂により、その前後寸法が肘掛け支持杆(７)の上端と背凭れ支持杆(６)の前面間の離間寸法とほぼ同等をなすように形成され（図３参照）、前端部の下面のやや外側方寄りには、図９〜図１１に示すように、肘当て取付部材(10)の枢支杆(15)が余裕をもって、かつ前後方向への移動を規制して収容しうる上向きの凹部(21)が形成されている。なお、凹部(21)は、枢支杆(15)と同方向に傾斜させてある。
【００３３】
凹部(21)における枢支杆(15)の後端及び前端が当接する後壁面(22)と前壁面(23)には、それぞれ上記枢軸(12)の後端部と前端部を支持可能な支持孔(24)(24)が形成され、前部の支持孔(24)は、肘掛け(13)の前端中央部を貫通している。
【００３４】
肘掛け(13)における後部の支持孔(24)の直下の下面には、該支持孔(24)と連通する上下方向を向くめねじ孔(25)が穿設されており、このめねじ孔(25)には、図４に示すように、枢軸(12)の後端部を支持孔(24)に嵌合した際、その外周面の環状溝(26)に突入して枢軸(12)の抜け止めを図る止めねじ(27)が螺合される。
【００３５】
肘掛け装置(５)を脚体(２)に取付けるには、まず肘掛け取付部材(10)の基杆(14)を肘掛け支持杆(７)の上端部に圧嵌して取付けたのち、枢支杆(15)を、その上面の平削面(17)に弾性保持部材(11)を載置した状態で、肘掛け(13)の凹部(21)に挿入する。
【００３６】
ついで、肘掛け(13)の前部の支持孔(24)より挿入した枢軸(12)を、枢支杆(15)の軸孔(16)を貫通して、後端部を後部の支持孔(24)に嵌合する。
【００３７】
この際、肘掛け(13)を押圧し、その凹部(21)の下面と枢支杆(15)の上面との間に挟入された弾性保持部材(11)の各弾性片(20)を若干下方に弾性変形させるようにして、枢軸(12)を枢支杆(15)の軸孔(16)に嵌合し、肘掛け(13)に作用する上向きの付勢力の反力により、弾性保持部材(11)の基片(14)を枢支杆(15)の上面に圧接させる。
【００３８】
最後に、肘掛け(13)の下面のめねじ孔(25)に止めねじ(27)を螺合し、その先端を枢軸(12)の後端の環状溝(26)に突入させることにより、枢軸(12)を抜け止めする。
【００３９】
これにより、肘掛け(13)の前端部が、弾性保持部材(11)と共に枢支杆(15)回りに回動可能に支持され、かつ弾性保持部材(11)の基片(14)が枢支杆(15)の上面の平削面(17)に圧接しているときには、長手方向の広い領域で互いに面接触しているため、肘掛け(13)が妄りに回動する恐れはない。
【００４０】
図１０と図１１は、肘掛け(13)の回動前と回動後の断面図を示し、回動前において肘掛け(13)は、弾性保持部材(11)の基片(14)が枢支杆(15)の上面の平削面(17)と圧接しているため、水平の使用位置に保持されている。
【００４１】
肘掛け(13)が水平の使用状態にあるときには、その前端部裏面の切欠部(13a)が、肘掛け取付部材(10)における基杆(14)の上部に当接し、それ以上内向きに回動するのが阻止される。
【００４２】
また、この際、枢支杆(15)が収容される凹部(21)を、枢支杆(15)と同方向に傾斜させて形成しているため、左右の肘掛け(13)は、図２の実線で示すように、互いにほぼ平行をなして前後方向を向いている。
【００４３】
図１０の使用位置から、肘掛け(13)を手で掴んで外向きに回転させると、図１１に示すように、弾性保持部材(11)の基片(14)が枢支杆(15)の外周面に圧接しながら、枢支杆(15)の外側面の平削面(17)まで摺動することにより、肘掛け(13)は９０°回転した位置で停止する。
(15a)は、肘掛け(13)の外方への最大回転量を規制するストッパ突部である。
【００４４】
この際、肘掛け(13)は、軸線を外側方に傾斜させた枢支杆(15)回りに回転するため、後部側程外側方に偏倚し、図２の２点鎖線に示すように、左右の肘掛け(13)の後部側が外開き状に拡開し、互いの対向面間の寸法が後部側程大となる。
その結果、図１２に示すように、複数の椅子(１)を前後方向に重ねてネスティングする際において、前後の椅子(１)の肘掛け(13)の対向端同士が当接することはく、後方の肘掛け(13)の前半部が、前方の肘掛け(13)の後半部の内方に挿入されることにより、前後の椅子(１)同士を近接させてネスティングすることができる。
【００４５】
また、肘掛け(13)を外向きに９０°回転させると、図１、図２及び図１１に示すように、
肘掛け(13)の内側面は、後脚(2b)及びそれと一体をなす肘掛け支持杆(７)の内端よりも外方に位置するため、図１３に示すように、椅子(１)を積み重ねてスタッキングする際に、上方の椅子における前脚(2a)はもとより、肘掛け支持杆(７)が肘掛け(13)の内側面に当接するのも防止することができる。
【００４６】
図１４及び図１５は、弾性保持部材の変形例を示すもので、板厚方向に弾性変形可能な合成樹脂又はばね鋼により形成された弾性保持部材(28)の基板(28a)には、複数の切欠孔(29)が、交互に左右方向にずらして穿設され、かつ各切欠孔(29)内には、その左右の一方の内端から、やや上向き円弧状に傾斜して、切欠孔(29)の他方の内端近傍まで延びる弾性片(30)が、交互に左右反対方向を向くように、基板(28a)と一体をなして設けられている。
【００４７】
また、基板(28a)の上面の左右両側端には、突条(31)(31)がほぼ全長に亘って突設されている。
各弾性片(30)の頂端は、突条(31)の上端とほぼ等高もしくは若干上方に位置するようにしてある。
【００４８】
上記弾性保持部材(28)を枢支杆(15)と肘掛け(13)との間に組付けるには、図１６に示すように、弾性保持部材(28)の各弾性片(30)の上端を、肘掛け(13)の凹部(21)の下面と当接又は圧接させて若干下方に弾性変形させることにより、両突条(31)の上端を凹部(21)下面に、かつ基板(28a)の下面を枢支杆(15)の上面の平削面(17)に、それぞれ当接させる。
【００４９】
このような構造の弾性保持部材(28)を用いると、凹部(21)の下面に各弾性片(30)と左右の突条(31)とが広範に圧接するため、肘掛け(13)のぐら付きが防止される。
【００５０】
また、肘掛け(13)を左右いずれか一方に回転させようとすると、基板(28a)が、枢支杆(15)における上面と側面の平削面(17)間の外周面（凸面）又は、上面の平削面(17)の内方の外周面(凸面）を摺動する際に、基板(28a)の左右方向の中央部が、各弾性片(30)の付勢力に抗して外向きに撓もうとするため、肘掛け(13)を回転させるには比較的大きな力を要する。従って、肘掛け(13)は、水平の使用位置と垂直の不使用位置に安定的に保持される。
【００５１】
なお、上記のような突条(31)を、上述した弾性保持部材(11)の基片(14)の上面に設けてもよい。
また、上記弾性保持部材(11)の弾性片(20)を、図１４に示す弾性保持部材(28)のように配列してもよい。
弾性片(20)(30)は、同方向に傾斜する左右いずれか一方の列のみとすることもある。
【００５２】
本発明は、肘掛け支持杆(７)がほぼ直立、もしくはやや前傾して立設されている椅子にも適用しうる。
【００５３】
この際には、肘掛け(13)の前後方向の中間部又は後端部を、上述のような傾斜させた枢支杆(15)を有する肘掛け取付部材(10)により回動自在に枢支すればよい。
【産業上の利用可能性】
【００５４】
本発明の肘掛け付き椅子は、例えば大型の会議室等において使用される多数の椅子を、不使用時に多数ネスティングして保管したり、移動したりすることにより、室内を他の目的に使用する際に便利である。
【図面の簡単な説明】
【００５５】
【図１】本発明の肘掛け付き椅子の正面図である。
【図２】同じく、平面図である。
【図３】同じく、側面図である。
【図４】同じく、肘掛け装置の分解斜視図である。
【図５】同じく、肘掛け取付部材の平面図である。
【図６】同じく、肘掛け取付部材の後面図である。
【図７】図４のＶII−ＶII線の拡大縦断側面図である。
【図８】同じく、図４のＶIII−ＶIII線の拡大縦断後面図である。
【図９】肘掛けを下方より見た斜視図である。
【図１０】図３のＸ−Ｘ線の拡大縦断後面図である。
【図１１】同じく、肘掛けを不使用位置に回動したときの拡大縦断後面図である。
【図１２】椅子同士をネスティングしたときの側面図である。
【図１３】同じく、スタッキングしたときの側面図である。
【図１４】弾性保持部材の変形例を示す斜視図である。
【図１５】同じく、図１４のＸＶ−ＸＶ線の拡大縦断正面図である。
【図１６】同じく、図１４の弾性保持部材を取付けた状態の図１０と同部位の拡大縦断後面図である。
【符号の説明】
【００５６】
(１)椅子
(２)脚体
(2a)前脚
(2b)後脚
(３)座体
(４)背凭れ
(５)肘掛け装置
(６)背凭れ支持杆
(７)肘掛け支持杆
(８)連結部材
(９)横杆
(10)肘掛け取付部材
(11)弾性保持部材
(12)枢軸
(13)肘掛け
(14)基杆
(15)枢支杆
(15a)ストッパ突部
(16)軸孔
(17)平削面
(18)切欠孔
(19)基板
(20)弾性片
(21)凹部
(22)後壁面
(23)前壁面
(24)支持孔
(25)めねじ孔
(26)環状溝
(27)止めねじ
(28)弾性保持部材
(28a)基板
(29)切欠孔
(30)弾性片
(31)突条
【図１】
2005073787.tif 000003
【図２】
2005073787.tif 000004
【図３】
2005073787.tif 000005
【図４】
2005073787.tif 000006
【図５】
2005073787.tif 000007
【図６】
2005073787.tif 000008
【図７】
2005073787.tif 000009
【図８】
2005073787.tif 000010
【図９】
2005073787.tif 000011
【図１０】
2005073787.tif 000012
【図１１】
2005073787.tif 000013
【図１２】
2005073787.tif 000014
【図１３】
2005073787.tif 000015
【図１４】
2005073787.tif 000016
【図１５】
2005073787.tif 000017
【図１６】
2005073787.tif 000018